(57)【要約】      （修正有）【課題】厨房等の特定区画に対する害虫獣の侵入を食い止めることができ、しかも繰り返し使用しても効果を持続することが可能な害虫獣の侵入防御システムを提供する。【解決手段】排水口３が設けられると共に当該排水口に向けて勾配が設けられた床面２と、床面２の勾配の上流側の端部に設けられると共に当該床面２に対して連続的に泡状物を放出する供給管４と、泡状物を生成して供給管４に送り込む泡発生部５と、床面２が泡状物によって隙間なく覆われた状態を維持するように泡発生部５を制御する制御部６と、泡状物による床面２の被覆時間を設定可能な第一のタイマー８と、第一のタイマー８による設定時間の経過後に床面２を水洗する放水管４と、を備えている。【選択図】図１
0003207188.tif 000002
【実用新案登録請求の範囲】
【請求項１】
排水口が設けられると共に当該排水口に向けて勾配が設けられた床面と、前記床面勾配の上流側の端部に設けられると共に当該床面に対して連続的に泡状物を放出する供給管と、前記泡状物を生成して前記供給管に送り込む泡発生部と、前記床面が前記泡状物によって隙間なく覆われた状態を維持するように前記泡発生部を制御する制御部と、前記泡状物による前記床面の被覆時間を設定可能な第一のタイマーと、前記第一のタイマーによる設定時間の経過後に前記床面を水洗する放水管と、を備えたことを特徴とする害虫獣の侵入防御システム。
【請求項２】
前記制御部は前記泡発生部の作動時間を設定可能な第二のタイマーを備えていることを特徴とする請求項１記載の害虫獣の侵入防御システム。
【請求項３】
前記泡発生部は発泡剤組成物と水を混合して前記泡状物を生成すると共に、床面における前記泡状物の被覆厚さ及び当該床面における泡状物の流下性を調整するために、両者の混合比を変更可能であることを特徴とする請求項１記載の害虫獣の侵入防御システム。
【考案の詳細な説明】
【技術分野】
【０００１】
本考案は、例えば調理場等の特定区画に対して害虫・害獣が侵入するのを所定時間だけ防止するための侵入防御システムに関する。
【背景技術】
【０００２】
ねずみ等の害獣やゴキブリ等の害虫（以下、両者を併せて「害虫獣」という）は、その存在自体が忌み嫌われているだけでなく、サルモネラ菌等の様々な病原菌や寄生虫を媒介する可能性が高いため、例えば飲食店にとって害虫獣の防御は極めて重要である。また、日中の時間帯にこれら害虫獣を見かけない場合でも、夜間等の無人の時間帯に店舗厨房に侵入し、ふん等を介して病原菌を拡散していくケースも考えられる。
【０００３】
厨房等の特定区画に対する害虫獣の侵入をふせぐ方法としては、粘着シートや毒餌を用いた駆除と、香料や超音波を用いた忌避がある。粘着シートを用いた駆除としては特許文献１に、独餌を用いた駆除は特許文献２に、香料を用いた忌避は特許文献３に、超音波を用いた忌避は特許文献４にそれぞれ開示がある。
【先行技術文献】
【特許文献】
【０００４】
【特許文献１】特開２０１０−２３３４６３
【特許文献２】特開２００７−２３０８９８
【特許文献３】特開２００７−１１９４１３
【特許文献４】特開２００３−２５０４２７
【考案の概要】
【考案が解決しようとする課題】
【０００５】
しかし、粘着シートや毒餌を用いた駆除は死骸を片付けることが必要とされ、例えば厨房機器の裏側等、作業者の目の届かない場所、手の届き難い場所に存在する死骸は片付けるのが困難である。また、香料や超音波を用いた忌避については、対策当初は有効であるが、害虫獣の慣れとともに効果が弱まる傾向にあり、持続的に侵入を食い止めることが困難である。
【課題を解決するための手段】
【０００６】
本考案はこのような問題点に鑑みなされたものであり、その目的とするところは、厨房等の特定区画に対する害虫獣の侵入を食い止めることかでき、しかも繰り返し使用しても効果を持続することが可能な害虫獣の侵入防御システムを提供することにある。
【０００７】
前記目的を達成するために、本考案の侵入防御システムは、排水口が設けられると共に当該排水口に向けて勾配が設けられた床面と、前記床面勾配の上流側の端部に設けられると共に当該床面に対して連続的に泡状物を放出する供給管と、前記泡状物を生成して前記供給管に送り込む泡発生部と、前記床面が前記泡状物によって隙間なく覆われた状態を維持するように前記泡発生部を制御する制御部と、前記泡状物による前記床面の被覆時間を設定可能な第一のタイマーと、前記第一のタイマーによる設定時間の経過後に前記床面を水洗する放水管と、を備えている。
【０００８】
ねずみのヒゲ（洞毛）やゴキブリの触角は感覚器官の役割を果たしており、これら害虫獣はヒゲや触覚に異物が付着するのを嫌う性質が認められる。本考案はこの性質を利用するものであり、害虫獣の侵入を防止したい床面を泡状物で覆うことにより、当該床面に対する害虫獣の侵入を防御する。
【０００９】
前記泡発生部によって生成した泡状物は前記供給管を用いて床面へ連続的に放出され、勾配が設けられた床面上を拡がって、当該床面は泡状物によって覆われる。例えば飲食店の厨房に対する害虫獣の侵入は、主に、人が不在になる夜間等の時間帯になされるので、閉店から開店までの時間帯は床面を泡状物で覆い続けることにより、当該床面に対する害虫獣の侵入を防御することができる。また、前記泡状物による前記床面の被覆時間を第一のタイマーに設定することにより、設定時間の経過後には床面を覆っている泡状物を水洗し、前記床面の排水口に排出することができる。
【００１０】
このため、害虫獣の侵入が行われる時間帯だけ、前記泡状物で床面を隙間なく覆って、当該床面に対する害虫獣の侵入を防御することが可能である。
【図面の簡単な説明】
【００１１】
【図１】本考案を適用した害虫獣の侵入防御システムの構成を示す概略図である。
【図２】泡状物によって害虫獣の床面への侵入を防御する仕組みを示した概略図である。
【考案を実施するための形態】
【００１２】
以下、添付図面を用いて本考案を適用した害虫獣の侵入防御システムの実施形態を詳細に説明する。
【００１３】
図１は本考案を適用した害虫獣の侵入防御システムの実施形態の一例を示す概略図である。このシステムは飲食店や惣菜販売店の厨房等の特定区画１に適用され、当該特定区画の床面２に対する害虫や害獣の侵入を防御する。
【００１４】
前記床面２には排水口３が設けられると共に、当該排水口３に向けて傾斜する勾配が設けられており、前記床面２を水洗した場合、洗浄水が前記排水口３に向けて自然流下するように構成されている。図１においては前記床面２の中央に前記排水口３が溝状に設けられているが、当該排水口３の位置や形状はこれに限られるものではなく、床面２に散布した水が水溜りを形成することなく自然流下するのであれば、その位置や形状は任意に設計して差し支えない。
【００１５】
前記特定区画の壁面１０には前記床面２を囲むようにして供給管４が設けられている。この供給管４には吐出口が所定間隔で設けられており、後述する泡発生部から送られてくる泡状物を前記吐出口から前記床面２に対して放出する。図１中の矢線は前記吐出口から床面２に対して泡状物が放出される様子を示している。前記供給管４から放出された泡状物は前記床面の勾配を利用して当該床面上に拡がるので、前記供給管４は床面勾配の上流側に設けられていれば、必ずしも床面２を囲むように設ける必要はない。重要な点は、前記供給管４から放出された泡状物が床面２を流下しながら当該床面２を隙間なく覆うことである。
【００１６】
前記供給管４には泡発生部５が接続されており、当該泡発生部５は前記泡状物を生成して、これを前記供給管４に圧送する。これにより、前記泡発生部５から送られた泡状物が前記供給管４の各吐出口から放出される。前記泡発生部５は前記泡状物を生成するための原液となる泡組成物の貯留タンクを有すると共に、水を供給する水タンク又は水道と接続されている。また、前記泡発生部５は発泡器を有しており、当該発泡器に対して前記泡組成物と水の混合希釈液を圧送することで、前記泡状物が連続的に生成される。前記泡発生部５は前記泡組成物の供給量を調整するバルブと水の供給量を調整するためのバルブを有しており、これらバルブの開閉によって前記泡組成物と水との混合比を調整し、前記供給管４に対する泡状物の供給を調整することができる。
【００１７】
前記制御部６はユーザーの入力に従って前記バルブの開閉を制御し、前記泡発生部５における泡状組成物と水との混合比を調整する機能を有する。これにより、前記供給管４から前記床面２に放出された泡状物が当該床面２上を覆う際の被覆厚さや、当該床面２における泡状物の流下性を調整することが可能となる。
【００１８】
また、前記泡発生部５は前記泡組成物の供給バルブを閉塞することにより、前記供給管４に対して水のみを送水することが可能である。このため、前記供給管４は前記床面２に対する放水管としても機能している。なお、前記供給管４と別個に放水管を壁面１０に配管し、前記泡発生部５と別ルートで前記床面２に対して水を散水できるようにしても差し支えない。
【００１９】
前記泡発生部５の各バルブの開閉は制御部６によって行われ、当該制御部６は起動スイッチ７の投入をトリガーとして前記泡発生部５の制御を行う。前記制御部５は二つのタイマーを有している。第一のタイマー８は前記供給管４から床面２に対する泡状物の放出時間を設定することができ、前記制御部６は第一のタイマー８の設定に従って前記泡発生部５の各バルブを開閉して、当該第一のタイマー８に設定された時間だけ泡状物が生成されるように前記泡発生部５を制御する。この第一のタイマー８の設定時間は任意に変更可能であり、床面２の広さに応じ、前記供給管４から放出された泡状物が当該床面２を覆い尽くすまでの時間を予め設定しておくことができる。
【００２０】
また、第二のタイマー９には前記起動スイッチ７の投入から床面２の水洗開始までの時間を設定することができ、前記制御部６は前記第二のタイマー９の設定に従って前記泡発生部５の各バルブを開閉し、前記供給管４に対して泡組成物を含まない水を供給する。これによって前記供給管４からは水が放出され、前記床面２を覆っている泡状物を水洗し、前記排出口３に洗い流すことができる。この第二のタイマー９には床面２に対する害虫獣の侵入を防御したい時間を設定することができ、例えば前記特定区画１が無人になる夜間等の数時間を設定する。尚、この第二のタイマー９を時計とし、前記制御部６が予め設定された水洗の開始時刻を前記時計から読みだすように構成することもできる。
【００２１】
前記泡発生部５で使用する泡組成物としては、前記床面２上における泡状物の持続性が重要であり、6時間以上、好ましくは9時間以上の持続性が必要である。このため、一般的な洗浄剤を発泡させて生成した泡状物では本考案の目的達成には不十分であり、例えば、特許第５６７１１１８号に開示された有害動物の忌避用発泡性組成物を利用することが可能である。
【００２２】
以上のように構成された侵入防御システムの使用方法としては、例えば、飲食店における業務終了後、侵入防御システムが設置された厨房を退出する際に前記起動スイッチ７を投入して、当該侵入防御システムを起動して使用する。前記起動スイッチ７が投入されると、前記制御部６は前記泡発生部５に備わったバルブの開閉を制御し、前記泡発生部５が泡状物を生成すると共に当該泡状物を前記供給管４に圧送する。これにより、前記特定区画１の床面２に対して泡状物の放出が開始される。
【００２３】
前記制御部６は前記第一のタイマー８に設定された時間だけ泡発生部５における泡状物の生成を継続し、前記供給管４からは連続的に泡状物が放出される。前記床面２には排水口３に向けて勾配が設けられているので、前記供給管４から泡状物の放出が続くと、当該泡状物は後ろから押されるようにして当該床面２上を前記排水口３へ向けて進行する。その結果、前記第一のタイマー８に設定された時間だけ前記供給管４から泡状物を放出すると、前記床面２を泡状物によって隙間なく覆い尽くすことができる。
【００２４】
図２は前記床面２を泡状物１１によって覆った状態を模式的に示す概略図である。例えば、ねずみにはヒゲに異物が付着するのを嫌う性質が認められるため、床面２が泡状物１１によって覆われた状態にあれば、ねずみは当該床面２を避けて行動することが期待される。このことは、触角を有するゴキブリ等の害虫にも共通する。すなわち、前記床面２が泡状物１１によって覆われている間は、当該床面２に対する害虫や害獣の侵入を防御することが可能となる。
【００２５】
この後、前記起動スイッチ７の投入から前記第二のタイマー９に設定された時間が経過したら、前記制御部６は前記泡発生部５を制御して前記供給管４へ送水し、当該供給管４から前記床面２に対して散水を行う。これにより、前記床面２を覆っていた泡状物は水洗され、前記排水溝３へ流下する。
【００２６】
従って、例えば飲食店の厨房においては、業務終了後、厨房退出時に前記起動スイッチ７を投入すれば、床面２が自動的に泡状物によって覆われ、当該泡状物が床面２を覆った状態が持続することによって、害虫獣の厨房床面に対する侵入を防御することが可能となる。また、厨房の退出時から翌日の業務開示までの時間を前記第二のタイマー９に設定することにより、当該第二のタイマー９に設定された時間が経過すると、床面２を覆っていた泡状物は自動的に水洗されるので、翌日の業務開始が泡状物によって阻害されることはない。
【００２７】
このように本考案によれば、ねずみやゴキブリ等の害虫獣が感覚器官であるヒゲや触覚に異物が付着するのを嫌うという性質を利用することにより、人が不在の時間帯における厨房などの特定区画に対する害虫獣の侵入を防止することができ、しかも設定した所定時間が経過した後は痕跡を残すことなく元の状態に復帰させることができるので、飲食店等の日々の業務を阻害することもない。また、ヒゲや触覚に異物が付着するのを嫌うという害虫獣の性質を利用するものであり、繰り返し使用しても効果を持続することが可能であり、継続的な効果を期待することができるものである。
【符号の説明】
【００２８】
１…特定区画、２…床面、３…排水溝、４…供給管（放水管）、５…泡発生部、６…制御部、７…起動スイッチ、８…第一のタイマー、９…第二のタイマー、１１…泡状物
【図１】
0003207188.tif 000003
【図２】
0003207188.tif 000004